(57)【要約】  排出部上に排出されたシートを装置本体の前面側および側面側から視認しやすくすることが可能な画像形成装置を提供する。この画像形成装置（１００）は、装置本体（１）に設けられる排出口（９）と、排出口（９）の排出方向下流側に設けられ、排出方向下流側および装置本体（１）の前面側に開口する胴内排出空間（４）と、胴内排出空間（４）に設けられる排出部（１０）と、を備える。排出部（１０）の排出方向下流側で前面側の部分には、排出部（１０）の上面（１０ａ）よりも上方に突出しシート（Ｐ）のコーナー部を持ち上げる持ち上げ片（１１）が設けられており、持ち上げ片（１１）は、排出方向下流側および前面側に向かって上方に傾斜するとともにシート（Ｐ）が積載される積載面（１１ａ）と、積載面（１１ａ）の反対側に配置される裏面（１１ｂ）と、を有し、裏面（１１ｂ）は、暗色に形成されている。
2018037640.tif 000002
【特許請求の範囲】
【請求項１】
装置本体に設けられ、画像形成されたシートを左右方向の一方側から他方側に向かって排出する排出口と、
前記排出口の排出方向下流側に設けられ、前記排出方向下流側および装置本体前面側に開口する胴内排出空間と、
前記胴内排出空間に設けられ、排出された前記シートが積載される排出部と、
を備え、
前記排出部の前記排出方向下流側で前記装置本体前面側の部分には、前記排出部の上面よりも上方に突出し前記シートのコーナー部を持ち上げる持ち上げ片が設けられており、
前記持ち上げ片は、前記排出方向下流側および前記装置本体前面側に向かって上方に傾斜するとともに前記シートが積載される積載面と、前記積載面の反対側に配置される裏面と、を有し、
前記裏面は、暗色に形成されていることを特徴とする画像形成装置。
【請求項２】
前記排出部の上面には、前記持ち上げ片を収容する収容凹部が形成されており、
前記持ち上げ片は、前記排出部の上面よりも上方に突出する突出位置と、前記収容凹部に収容される収容位置と、に選択配置されることを特徴とする請求項１に記載の画像形成装置。
【請求項３】
前記持ち上げ片は、排出方向上流側および前記装置本体前面側を向く第１側面と、前記排出方向下流側および装置本体背面側を向く第２側面と、を有し、
前記第１側面および前記第２側面は、前記裏面とは異なる色に形成されていることを特徴とする請求項１に記載の画像形成装置。
【請求項４】
前記持ち上げ片は、排出方向上流側および前記装置本体前面側を向く第１側面と、前記排出方向下流側および装置本体背面側を向く第２側面と、を有し、
前記第１側面および前記第２側面は、発光することを特徴とする請求項１に記載の画像形成装置。
【請求項５】
前記持ち上げ片は、前記裏面の上端に繋がるとともに、前記排出方向下流側および前記装置本体前面側を向く上端面を有し、
前記上端面は、前記裏面と同じ色に形成されていることを特徴とする請求項１に記載の画像形成装置。
【請求項６】
前記排出部上にシートが積載された状態で、前記シートのコーナー部は前記持ち上げ片よりも上方に突出していることを特徴とする請求項１に記載の画像形成装置。
【請求項７】
前記持ち上げ片は、前記排出部上のシートの枚数が増加することにより、前記裏面が前記排出部の上面に近づく方向に倒れるように構成されていることを特徴とする請求項１に記載の画像形成装置。
【請求項８】
前記持ち上げ片は、前記装置本体の前後方向に移動可能であることを特徴とする請求項１に記載の画像形成装置。
【請求項９】
前記持ち上げ片は、排出方向の上流側および下流側に移動可能であることを特徴とする請求項１に記載の画像形成装置。
【発明の詳細な説明】
【技術分野】
【０００１】
本発明は、複写機、プリンター等の画像形成装置に関し、特に、シートの排出方向下流側および装置本体前面側に開口する胴内排出空間を備えた画像形成装置に関するものである。
【背景技術】
【０００２】
従来、用紙（シート）の排紙方向下流側および装置本体前面側に開口する胴内排紙空間（胴内排出空間）を備えた画像形成装置が知られている。【０００３】
例えば、特許文献１には、装置本体に設けられ、画像形成された用紙を左方向に排出する排出口と、排出口の排紙方向下流側に設けられ、左側および前面側に開口する胴内排紙空間と、胴内排紙空間に設けられ、排出された用紙が積載される排紙トレイ（排出部）と、を備えた画像形成装置が開示されている。
【先行技術文献】
【特許文献】
【０００４】
【特許文献１】特開２０１６−１３３５３１号公報
【発明の概要】
【発明が解決しようとする課題】
【０００５】
しかしながら、上記特許文献１のように胴内排紙空間に用紙を排出する画像形成装置では、用紙の表面を視認しにくい。このため、排紙トレイの下流側が略平面形状であるとともに、排紙トレイ上に排出された用紙が少ない場合、排紙トレイ上に排出された用紙を装置本体の前面側および側面側から視認しにくいという問題点がある。【０００６】
本発明は、上記のような課題を解決するためになされたものであり、本発明の目的は、排出部上に排出されたシートを装置本体の前面側および側面側から視認しやすくすることが可能な画像形成装置を提供することである。
【課題を解決するための手段】
【０００７】
本発明の第１の局面に係る画像形成装置は、装置本体に設けられ、画像形成されたシートを左右方向の一方側から他方側に向かって排出する排出口と、排出口の排出方向下流側に設けられ、排出方向下流側および装置本体前面側に開口する胴内排出空間と、胴内排出空間に設けられ、排出されたシートが積載される排出部と、を備える。排出部の排出方向下流側で装置本体前面側の部分には、排出部の上面よりも上方に突出しシートのコーナー部を持ち上げる持ち上げ片が設けられており、持ち上げ片は、排出方向下流側および装置本体前面側に向かって上方に傾斜するとともにシートが積載される積載面と、積載面の反対側に配置される裏面と、を有し、裏面は、暗色に形成されている。
【発明の効果】
【０００８】
本発明の第１の局面に係る画像形成装置によれば、排出部の排出方向下流側で装置本体前面側の部分には、排出部の上面よりも上方に突出しシートのコーナー部を持ち上げる持ち上げ片が設けられており、持ち上げ片は、排出方向下流側および装置本体前面側に向かって上方に傾斜するとともにシートが積載される積載面を有する。これにより、排出口から排出されるシートの排出方向下流側で装置本体前面側のコーナー部は、持ち上げ片の積載面によって排出方向下流側および装置本体前面側に向かって上方に持ち上げられて湾曲する。このため、排出部上に排出されたシートが少ない場合であっても、排出部上に排出されたシートの表面（下面）を装置本体の前面側および側面側から視認しやすくすることができる。【０００９】
また、シートのコーナー部が持ち上げ片によって持ち上げられるので、シートの取出しが容易になる。【００１０】
また、持ち上げ片の裏面は、暗色に形成されている。これにより、持ち上げ片の裏面とシートとのコントラストを大きくすることができるので、シートの視認性をより向上させることができる。【００１１】
本発明の更に他の目的、本発明によって得られる具体的な利点は、以下に説明される実施の形態の説明から一層明らかにされる。
【図面の簡単な説明】
【００１２】
【図１】本発明の第１実施形態の画像形成装置の構造を示した斜視図である。
【図２】本発明の第１実施形態の画像形成装置の胴内排紙空間周辺の構造を上方から示した図である。
【図３】本発明の第１実施形態の画像形成装置の排紙トレイの構造を示した斜視図である。
【図４】本発明の第１実施形態の画像形成装置の持ち上げ片周辺の構造を示した斜視図である。
【図５】本発明の第１実施形態の画像形成装置の胴内排紙空間周辺の構造を上方から示した図であり、排紙トレイ上に用紙が排出された状態を示した図である。
【図６】本発明の第１実施形態の画像形成装置の持ち上げ片周辺の構造を示した斜視図であり、排紙トレイ上に用紙が排出された状態を示した図である。
【図７】本発明の第１実施形態の画像形成装置の持ち上げ片および収容凹部の構造を示した断面図であり、持ち上げ片が突出位置に配置された状態を示した図である。
【図８】本発明の第１実施形態の画像形成装置の持ち上げ片および収容凹部の構造を示した断面図であり、持ち上げ片が収容位置に配置された状態を示した図である。
【図９】本発明の第２実施形態の画像形成装置の持ち上げ片および収容凹部の構造を示した断面図であり、持ち上げ片が突出位置に配置された状態を示した図である。
【図１０】本発明の第２実施形態の画像形成装置の持ち上げ片および収容凹部の構造を示した断面図であり、持ち上げ片が収容位置に配置された状態を示した図である。
【図１１】本発明の第１変形例の画像形成装置の持ち上げ片および収容凹部の構造を示した断面図であり、持ち上げ片が突出位置に配置された状態を示した図である。
【図１２】本発明の第１変形例の画像形成装置の持ち上げ片および収容凹部の構造を示した断面図であり、持ち上げ片が収容位置に配置された状態を示した図である。
【図１３】本発明の第２変形例の画像形成装置の胴内排紙空間周辺の構造を上方から示した図である。
【図１４】本発明の第３変形例の画像形成装置の胴内排紙空間周辺の構造を上方から示した図である。
【図１５】本発明の第４変形例の画像形成装置の持ち上げ片の構造を示した斜視図である。
【発明を実施するための形態】
【００１３】
以下、本発明の実施形態について図面を参照して説明する。
【００１４】
（第１実施形態）
図１〜図８を参照して、本発明の第１実施形態の画像形成装置１００について説明する。図１に示すように、画像形成装置１００（ここでは一例としてデジタル複合機を示す）は、装置本体（画像形成装置本体）１と、その上部に配設された画像読取部２と、を備える。
【００１５】
画像読取部２内には、コンタクトガラス２ａ上の原稿の画像情報を読み取る読取部が設けられている。読取部は、スキャナーランプやミラーが搭載された走査光学系、原稿からの反射光を集光して結像する集光レンズ、及び結像された画像光を電気信号に変換するＣＣＤセンサ等（いずれも図示せず）から構成されており、原稿画像を読み取って画像データに変換する。
【００１６】
画像読取部２の前面部には、表示部や操作キーを有する操作パネル３が設けられている。なお、画像読取部２の上部には、コンタクトガラス２ａ上に載置された原稿を押えるプラテン（図示せず）が開閉可能に設けられている。
【００１７】
画像読取部２と装置本体１との間には、左側面及び正面に向けて大きく開口する胴内排紙空間（胴内排出空間）４が設けられている。
【００１８】
装置本体１の前面部には、用紙（シート）を収納する複数（ここでは２つ）の給紙カセット５が装置本体１に対して着脱可能に設けられている。
【００１９】
装置本体１の内部には、図示しない画像形成部、定着部、用紙搬送部などが設けられている。画像形成部は、画像読取部２により読み込んだ画像データに基づいて、供給される用紙にトナー像を転写して画像を形成するものである。画像形成部は、静電潜像を担持する感光体ドラム、感光体ドラムの表面を帯電させる帯電ユニット、原稿画像に対応する静電潜像を感光体ドラムの表面にレーザービーム等によって形成する露光ユニット、形成された静電潜像に現像剤を付着させてトナー像を形成する現像ユニット、トナー像を用紙に転写する転写ローラー、感光体ドラム表面の残留トナーを除去するクリーニングブレード等を含んでいる。また、定着部は、トナー像が転写された用紙を加熱及び加圧することにより、用紙上にトナー像を定着させる。用紙搬送部（図示せず）は装置本体１の右側面に沿って上方に向かって延びており、給紙カセット５から画像形成部に用紙を搬送する。
【００２０】
次に、胴内排紙空間４周辺の構造について説明する。
【００２１】
図２に示すように、胴内排紙空間４の右側（排紙方向上流側）には、装置本体１に設けられ、画像形成された用紙を右側から左側に向かって排出する排出口９が設けられている。また、胴内排紙空間４の下部には、排出口９から排出された用紙が積載される排紙トレイ（排出部）１０が設けられている。
【００２２】
排紙トレイ１０の装置本体１の左側（排出口９の排紙方向下流側）で前面側（図２の下側）の部分には、排紙トレイ１０の上面１０ａよりも上方に突出し用紙のコーナー部（角部）を持ち上げる持ち上げ片１１が設けられている。持ち上げ片１１は図３および図４に示すように、矩形の板部材により形成されているとともに、排紙トレイ１０の上面１０ａに対して傾斜するように配置されている。
【００２３】
持ち上げ片１１は、用紙が積載される積載面１１ａと、積載面１１ａとは反対側に配置される裏面１１ｂと、第１側面１１ｃおよび第２側面１１ｄと、積載面１１ａの上端および裏面１１ｂの上端に繋がる上端面１１ｅと、を有する。
【００２４】
積載面１１ａは、装置本体１の左側および前面側に向かって上方に傾斜する。裏面１１ｂは、装置本体１の左側および前面側を向いているとともに、黒色、濃いグレーおよび濃い茶色等の、一般的な白色の用紙（普通紙）よりも明度の低い暗色に形成されている。なお、積載面１１ａは、暗色に形成されていてもよいし、明色に形成されていてもよい。図４および図６では、暗色部分にハッチングを施している。
【００２５】
第１側面１１ｃは、装置本体１の右側および前面側を向いている。第２側面１１ｄは、装置本体１の左側および背面側を向いている。また、第１側面１１ｃおよび第２側面１１ｄは、裏面１１ｂとは異なる色に形成されており、例えば白色等の明度の高い明色に形成されている。上端面１１ｅは、装置本体１の左側および前面側を向いているとともに、裏面１１ｂと同じ色（暗色）に形成されている。なお、胴内排紙空間４の下面（排紙トレイ１０の上面１０ａ）、奥面および右側面は、暗色に形成されていてもよいし、明色に形成されていてもよいが、暗色に形成されていることが好ましい。
【００２６】
この画像形成装置１００では、用紙が排出口９から排紙トレイ１０上に排出される際に、用紙の左側（先端側）および前面側のコーナー部は、持ち上げ片１１の積載面１１ａによって上方に案内される。そして、図５および図６に示すように、排紙トレイ１０上に所定サイズ以上の用紙Ｐが積載された状態で、用紙Ｐの左側および前面側のコーナー部は、湾曲して持ち上げ片１１の上端よりも上方に突出する。
【００２７】
また、排紙トレイ１０の上面１０ａには図３および図４に示すように、持ち上げ片１１を収容する収容凹部１０ｂが形成されており、持ち上げ片１１は、排紙トレイ１０の上面１０ａよりも上方に突出する突出位置（図４および図７の位置）と、収容凹部１０ｂに収容される収容位置（図８の位置）と、に選択配置される。なお、本実施形態では、収容凹部１０ｂは、持ち上げ片１１に対して右側で背面側の部分に形成されている。
【００２８】
図７および図８に示すように、持ち上げ片１１の第１側面１１ｃおよび第２側面１１ｄの下部には、一対の軸部１１ｆが設けられている。収容凹部１０ｂは、持ち上げ片１１が収容位置に配置された状態で持ち上げ片１１全体を収容する全体収容部１０ｃと、全体収容部１０ｃの左側（排紙方向下流側）に隣接して設けられ、持ち上げ片１１が突出位置に配置された状態で持ち上げ片１１の下部を収容する下部収容部１０ｄと、を有する。収容凹部１０ｂの左側および前面側に配置される側面１０ｅは、持ち上げ片１１を所定角度に保持する傾斜面となっている。
【００２９】
また、全体収容部１０ｃおよび下部収容部１０ｄには、軸部１１ｆをガイドする長穴１０ｆが形成されており、軸部１１ｆを長穴１０ｆに沿って移動させることによって、持ち上げ片１１を突出位置と収容位置とに選択配置可能である。
【００３０】
本実施形態では、上記のように、排紙トレイ１０の左側（排紙方向下流側）で前面側の部分には、排紙トレイ１０の上面１０ａよりも上方に突出し用紙Ｐのコーナー部を持ち上げる持ち上げ片１１が設けられており、持ち上げ片１１は、左側および前面側に向かって上方に傾斜するとともに用紙Ｐが積載される積載面１１ａを有する。これにより、排出口９から排出される用紙Ｐの左側（先端側）で前面側のコーナー部は、持ち上げ片１１の積載面１１ａによって左側および前面側に向かって上方に持ち上げられて湾曲する。このため、排紙トレイ１０上に排出された用紙Ｐが少ない場合であっても、排紙トレイ１０上に排出された用紙Ｐの表面（下面）を装置本体１の前面側および側面側から視認しやすくすることができる。
【００３１】
また、用紙Ｐのコーナー部が持ち上げ片１１によって持ち上げられるので、用紙Ｐの取出しが容易になる。
【００３２】
また、持ち上げ片１１の裏面１１ｂは、暗色に形成されている。これにより、持ち上げ片１１の裏面１１ｂと用紙Ｐの表面（下面）とのコントラストを大きくすることができるので、用紙Ｐの視認性をより向上させることができる。
【００３３】
なお、排紙トレイ１０の排紙方向下流側の部分が略平面の積載面に形成されている場合（一定の高さのリブ等が設けられていない場合）、用紙Ｐは波打たず平坦状に積載されるので、このような場合に本発明を適用して用紙Ｐを視認しやすくすることは、特に有効である。
【００３４】
また、上記のように、排紙トレイ１０の上面１０ａには、持ち上げ片１１を収容する収容凹部１０ｂが形成されている。これにより、持ち上げ片１１を使用しない場合に、持ち上げ片１１を収容凹部１０ｂに収容することができる。
【００３５】
また、上記のように、持ち上げ片１１の第１側面１１ｃおよび第２側面１１ｄは、裏面１１ｂとは異なる色に形成されている。これにより、第１側面１１ｃおよび第２側面１１ｄの視認性を向上させることができるので、持ち上げ片１１が突出位置に配置されているか収容位置に配置されているかを容易に判別することができる。
【００３６】
また、上記のように、持ち上げ片１１の上端面１１ｅは、裏面１１ｂと同じ色に形成されている。これにより、持ち上げ片１１と用紙Ｐとの境界部分のコントラストを大きくすることができるので、用紙Ｐの視認性をより向上させることができる。
【００３７】
また、上記のように、排紙トレイ１０上に所定サイズ以上の用紙Ｐが積載されたときは、用紙Ｐのコーナー部は持ち上げ片１１よりも上方に突出している。これにより、用紙Ｐの視認性をより向上させることができる。
【００３８】
（第２実施形態）
本発明の第２実施形態では図９および図１０に示すように、持ち上げ片１１を収容する収容凹部１０ｂは、上記第１実施形態とは異なり、持ち上げ片１１に対して左側で前面側に形成されている。また、持ち上げ片１１は、軸部１１ｆを中心として揺動する。持ち上げ片１１の軸部１１ｆには、ねじりバネ１２が取り付けられている。ねじりバネ１２の一端は持ち上げ片１１に固定されており、他端は収容凹部１０ｂに固定されている。なお、持ち上げ片１１の上面１０ａに対する傾斜角度は図示しない規制部によって規制されている。
【００３９】
この画像形成装置１００では、排紙トレイ１０上に積載された用紙Ｐの枚数が増加すると、ねじりバネ１２の付勢力に抗して用紙Ｐの重みで持ち上げ片１１の裏面１１ｂが排紙トレイ１０の上面１０ａに近づく方向（図９の反時計回り方向）に倒れ、持ち上げ片１１の傾斜角度が小さくなる。
【００４０】
第２実施形態のその他の構造は、上記第１実施形態と同様である。
【００４１】
本実施形態では、上記のように、持ち上げ片１１は、排紙トレイ１０上の用紙Ｐの枚数が増加することにより、裏面１１ｂが排紙トレイ１０の上面１０ａに近づく方向に倒れるように構成されている。これにより、排紙トレイ１０の用紙積載量を確保することができる。
【００４２】
また、第１実施形態と同様、持ち上げ片１１の第１側面１１ｃおよび第２側面１１ｄは、裏面１１ｂとは異なる色に形成されているので、第１側面１１ｃおよび第２側面１１ｄの視認性を向上させることができる。これにより、持ち上げ片１１の傾斜角度から排紙トレイ１０上の用紙Ｐの量を容易に推測することができる。
【００４３】
第２実施形態のその他の効果は、上記第１実施形態と同様である。
【００４４】
なお、今回開示された実施形態は、すべての点で例示であって制限的なものではないと考えられるべきである。本発明の範囲は、上記した実施形態の説明ではなく請求の範囲によって示され、さらに請求の範囲と均等の意味および範囲内でのすべての変更が含まれる。
【００４５】
例えば、デジタル複合機に本発明を適用した例について示したが、本発明はこれに限らない。言うまでもなく、複写機、プリンター、ファクシミリ等の、排出方向下流側および装置本体前面側に開口する胴内排出空間を備えた種々の画像形成装置に本発明を適用できる。
【００４６】
また、持ち上げ片１１および収容凹部１０ｂを上記実施形態とは異なる構造に形成してもよい。例えば図１１および図１２に示した本発明の第１変形例のように構成してもよい。具体的には、収容凹部１０ｂは、持ち上げ片１１に対して左側で前面側に形成されている。持ち上げ片１１の裏面１１ｂには、支持片１３が係合される係合凹部１１ｇが形成されている。収容凹部１０ｂの下部には、支持片１３を収容する支持片収容凹部１０ｇが設けられている。支持片１３はその下部に設けられた軸部１３ａを中心として回動することによって、持ち上げ片１１の係合凹部１１ｇに係合して持ち上げ片１１を所定角度に支持する支持位置（図１１の位置）と、支持片収容凹部１０ｇに収容される収容位置（図１２の位置）と、に選択配置される。
【００４７】
また、持ち上げ片１１を排紙トレイ１０の上面１０ａに固定してもよいし、排紙トレイ１０の上面１０ａに収容凹部１０ｂを設けなくてもよい。
【００４８】
また、上記実施形態では、持ち上げ片１１の第１側面１１ｃおよび第２側面１１ｄを明色に形成する例について示したが、本発明はこれに限らない。第１側面１１ｃおよび第２側面１１ｄに発光素子（図示せず）を設け、第１側面１１ｃおよび第２側面１１ｄを発光するように構成してもよい。このように構成すれば、第１側面１１ｃおよび第２側面１１ｄの視認性をより向上させることができるので、持ち上げ片１１が突出位置に配置されているか収容位置に配置されているかをより容易に判別することができる。また、胴内排紙空間４には外部からの光が届きにくいが、第１側面１１ｃおよび第２側面１１ｄが発光することによって、持ち上げ片１１周辺が明るくなるので用紙Ｐの視認性をより向上させることができる。
【００４９】
また、上記実施形態では、持ち上げ片１１が装置本体１の前後方向や左右方向に移動しない例について示したが、本発明はこれに限らない。例えば図１３に示した本発明の第２変形例のように、持ち上げ片１１を装置本体１の前後方向に移動可能に構成してもよい。このように構成すれば、排紙トレイ１０に排出される用紙Ｐのサイズに合わせて、持ち上げ片１１を適切な位置に配置することができる。また、中央合わせ仕様の画像形成装置と片側合わせ仕様の画像形成装置とに排紙トレイ１０を共用することができる。
【００５０】
また、図１４に示した本発明の第３変形例のように、持ち上げ片１１を左前側から右後側に移動可能に構成してもよい。このように構成すれば、排紙トレイ１０に排出される用紙Ｐのサイズに合わせて、持ち上げ片１１を適切な位置に配置することができる。なお、持ち上げ片１１を左右方向のみに移動可能に構成してもよい。
【００５１】
また、上記実施形態では、持ち上げ片１１を矩形に形成した例について示したが、本発明はこれに限らない。例えば図１５に示した本発明の第４変形例のように、持ち上げ片１１の下部に切り欠き１１ｈ（又は貫通穴）を形成してもよい。このように構成すれば、切り欠き１１ｈ（又は貫通穴）を通して用紙Ｐを視認することができるので、用紙Ｐのコーナー部が持ち上げ片１１の上端よりも上方に突出していない場合であっても、容易に用紙Ｐを視認することができる。
【００５２】
また、上述した実施形態および変形例の構成を適宜組み合わせて得られる構成についても、本発明の技術的範囲に含まれる。
【図１】
2018037640.tif 000003
【図２】
2018037640.tif 000004
【図３】
2018037640.tif 000005
【図４】
2018037640.tif 000006
【図５】
2018037640.tif 000007
【図６】
2018037640.tif 000008
【図７】
2018037640.tif 000009
【図８】
2018037640.tif 000010
【図９】
2018037640.tif 000011
【図１０】
2018037640.tif 000012
【図１１】
2018037640.tif 000013
【図１２】
2018037640.tif 000014
【図１３】
2018037640.tif 000015
【図１４】
2018037640.tif 000016
【図１５】
2018037640.tif 000017
【国際調査報告】
2018037640.tif 000018
2018037640.tif 000019
2018037640.tif 000020
2018037640.tif 000021